(57)【特許請求の範囲】
【請求項１】
非同期転送と同期転送が可能なシリアルバスからのデータを記録媒体に記録し、当該記録媒体に記録されたデータを再生する記録再生方法において、
データの記録時、シリアルバスの状態が初期化された場合には、上記シリアルバスの状態が初期化されたことを示す特定データを記録媒体に記録し、再生時においては記録媒体上に記録されている上記特定データを再生して、記録時にシリアルバスの初期化があったことを示す、
ことを特徴とする記録再生方法。
【請求項２】
非同期転送と同期転送が可能なシリアルバスからのデータを磁気テープに記録し、当該磁気テープに記録されたデータを再生する際、記録時には磁気テープ上にコントロール信号を記録し、再生時には再生コントロール信号によってテープの走行を制御する記録再生方法において、
データの記録時、シリアルバスの状態が初期化された場合には、上記コントロール信号のデューティを変化させて磁気テープに記録し、再生時において上記コントロール信号のデューティーの変化を検出した際、上記シリアルバスの状態が初期化されたことを示す特定データを再生して、記録時にシリアルバスの初期化があったことを示す、
ことを特徴とする記録再生方法。
【請求項３】
非同期転送と同期転送が可能なシリアルバスからのデータを記録媒体に記録し、当該記録媒体に記録されたデータを再生する記録再生方法において、
データの記録時、シリアルバスの状態が初期化された場合には、シリアルバスの状態が初期化されたことを示すバスリセット認識データを記録媒体に記録し、再生時においては記録媒体上に記録されている上記バスリセット認識データを検出すると、シリアルバスの状態が初期化されたことを示す特定データを再生して、記録時にシリアルバスの初期化があったことを示す、
ことを特徴とする記録再生方法。
【請求項４】
上記特定データが特定の映像データであることを特徴とする請求項１〜請求項３のいずれかに記載の記録再生方法。
【請求項５】
上記特定データが特定の静止画データであることを特徴とする請求項１〜請求項３のいずれかに記載の記録再生方法。
【請求項６】
上記特定データが特定の音声データであることを特徴とする請求項１〜請求項３のいずれかに記載の記録再生方法。
【請求項７】
非同期転送と同期転送が可能なシリアルバスに接続可能なシリアルバスインターフェースと、シリアルバスからのデータを記録媒体に記録する記録手段と、記録媒体に記録されたデータを再生する再生手段と、シリアルバスの状態を認識する認識手段と、特定データを生成するデータ生成手段とを備え、
上記記録手段は、データの記録時、上記認識手段によってシリアルバスの状態が初期化されたことが検出された場合には、上記特定データを記録媒体に記録し、上記再生手段は上記記録媒体上に記録されている上記特定データを再生することにより、記録時にシリアルバスの初期化があったことを示す、
ことを特徴とする記録再生装置。
【請求項８】
非同期転送と同期転送が可能なシリアルバスに接続可能なシリアルバスインターフェースと、シリアルバスからのデータを磁気テープに記録する記録手段と、磁気テープに記録されたデータを再生する再生手段と、シリアルバスの状態を認識する認識手段と、特定データを生成するデータ生成手段とを備え、記録時には磁気テープ上にコントロール信号を記録し、再生時には再生コントロール信号によってテープの走行を制御する記録再生装置であって、
上記記録手段は、データの記録時、上記認識手段によってシリアルバスの状態が初期化されたことが検出された場合には、上記コントロール信号のデューティを変化させて磁気テープに記録し、上記再生手段は記録されている上記コントロール信号のデューティーの変化を検出した場合には、上記特定データを出力することにより、記録時にシリアルバスの初期化があったことを示す、
ことを特徴とする記録再生装置。
【請求項９】
非同期転送と同期転送が可能なシリアルバスに接続可能なシリアルバスインターフェースと、シリアルバスからのデータを記録媒体に記録する記録手段と、記録媒体に記録されたデータを再生する再生手段と、シリアルバスの状態を認識する認識手段と、バスリセット認識データを生成するバスリセット認識データ生成手段と、特定データを生成するデータ生成手段とを備え、
上記記録手段は、データの記録時、上記認識手段によってシリアルバスの状態が初期化されたことが検出された場合には、上記バスリセット認識データを記録媒体に記録し、上記再生手段は記録媒体上に記録されている上記バスリセット認識データを検出した場合には、上記特定データを出力することにより、記録時にシリアルバスの初期化があったことを示す、
ことを特徴とする記録再生装置。
【請求項１０】
上記特定データが特定の映像データであることを特徴とする請求項７〜請求項９のいずれかに記載の記録再生装置。
【請求項１１】
上記特定データが特定の静止画データであることを特徴とする請求項７〜請求項９のいずれかに記載の記録再生装置。
【請求項１２】
上記特定データが特定の音声データであることを特徴とする請求項７〜請求項９のいずれかに記載の記録再生装置。
【請求項１３】
上記シリアルバスはＩＥＥＥ１３９４規格に合致または準拠するものであることを特徴とする請求項７〜請求項１２のいずれかに記載の記録再生装置。
【請求項１４】
上記シリアルバスはＵＳＢ規格に合致または準拠するものであることを特徴とする請求項７〜請求項１２のいずれかに記載の記録再生装置。
【発明の詳細な説明】
【０００１】
【発明の属する技術分野】
本発明は、デジタル信号化された映像や音声をシリアルバス経由で送受信を行い、ＴＶモニタやスピーカに映像や音声を出力して視聴できるようにした記録再生方法および記録再生装置に関する。
【０００２】
【従来の技術】
近年、ＡＶ（Audio-Video）機器の扱う画像及び音声データが急速にデジタル化されている。それに伴い、パソコン（以下、ＰＣと称す）等やデジタルＡＶ機器を共通のインターフェースで接続し、ネットワークを構成する技術の一つとしてInstitute of Electrical and Electronics Engineers（以下、IEEEと称す）によって規定されたIEEE1394 High Performance Serial Bus（以下、１３９４シリアルバスと称す）がある。
【０００３】
１３９４シリアルバスのインターフェース（以下、１３９４インターフェースと称す）はネットワーク構成の自動認識が可能であり、接続されている機器の電源オン／オフや接続機器の追加／削除等によるネットワーク構成の変化に応じて、ネットワーク上に接続されている機器のＩＤ情報を自動的に設定し、認識可能な機能を有する。
【０００４】
図７は、例えば特開平１１−１６８４８９号公報に示された従来の１３９４インターフェースを有する複数の電子機器を用いて構成されたネットワークを示す図である。図７において、１０１はプリンタ、１０２はＰＣ、１０３はデジタルビデオテープレコーダ−Ａ（以下、ＤＶＴＲ−Ａと称す）、１０４はデジタルビデオテープレコーダ−Ｂ（以下、ＤＶＴＲ−Ｂと称す）、１０５はビデオディスクである。各機器は、１３９４シリアルバスに準拠したケーブル（以下、１３９４ケーブルと称す）１０６にて接続されている。
【０００５】
図７において、１３９４インターフェースは各機器の電源オン／オフ、あるいは機器の追加または削除等により接続構成の変化を監視している。そして、接続構成の変化を検出した場合、各機器の１３９４インターフェースが自動的にネットワークの接続構成（以下、トポロジと称す）を認識し、各機器（以下、ノードと称す）に対してＩＤ情報（以下、ノードＩＤと称す）を設定する処理を実行する。
【０００６】
トポロジの認識は、トポロジ情報のクリアを伴う初期化処理（以下、バスリセットと称す）後、各ノードが親子関係を宣言し合うことによって実行される。各ノードは、各ノード間の親子関係を決定することにより、トポロジを階層構造として認識する。最終的にすべての機器の親（あるいは上位）となる機器はルート・ノードとなり、バス使用権の調停を管理する。
【０００７】
ルート・ノードの決定後、ネットワークは各ノードに対してノードＩＤを自動的に設定する。ノードＩＤの設定は、基本的に親ノードがポート番号の若い通信ポートに接続された子ノードに対してノードＩＤの設定を許可し、さらにその子ノードが自分の子ノードに対して順番に設定の許可を与えることによって実行される。最終的にすべての子ノードのＩＤ設定が終了した後、親ノードは自己のノードＩＤを設定する。
【０００８】
以下、図７を用いてノードＩＤの自動設定処理を説明する。なお、ここではトポロジの認識後、ＰＣ１０２がルート・ノードになった場合について説明する。
【０００９】
ルート・ノードであるＰＣ１０２はまず、ポート番号「＃１」の通信ポートに接続されているノード、すなわちプリンタ１０１に対してノードＩＤの設定を許可する。プリンタ１０１は、自己のノード番号を「Ｎｏ．０」に設定し、その結果をセルフＩＤパケットとして１３９４シリアルバス上のすべての機器（ノード）に対して転送する（以下、ブロードキャストと称す）。この結果、１３９４シリアルバス上のすべての機器は、「ノード番号「Ｎｏ．０」は割り当て済みである」と認識し、次にノード番号の設定を許可された機器は「Ｎｏ．１」を設定する。
【００１０】
プリンタ１０１の設定後、ＰＣ１０２はポート番号「＃２」の通信ポートに接続されているノード、すなわちＤＶＴＲ−Ａ１０３に対してノードＩＤの設定を許可する。ＤＶＴＲ−Ａ１０３はさらに、子ノード（ＤＶＴＲ−Ｂ１０４及びビデオディスク１０５）の接続されている通信ポートのうち、若いポート番号の通信ポートから順に許可を与える。つまり、ＤＶＴＲ−Ａ１０３は始めにＤＶＴＲ−Ｂ１０４、次にビデオディスク１０５の順に許可を与え、その許可を受けたＤＶＴＲ−Ｂ１０４、ビデオディスク１０５は各ノード番号「Ｎｏ．１」、「Ｎｏ．２」を設定した後、セルフＩＤパケットをブロードキャストする。ＤＶＴＲ−Ｂ１０４及びビデオディスク１０５の設定後、ＤＶＴＲ−Ａ１０３は、自己のノード番号を「Ｎｏ．３」に設定し、最後にルート・ノード（ＰＣ１０２）が自己ノード番号を「Ｎｏ．４」に設定してトポロジの認識を終了する。
【００１１】
以上の処理（以下、バスリセット処理と称す）により、各ノードはトポロジを自動的に認識できると共に、各ノードに対して自動的にノードＩＤを割り当てることができる。そして各ノードは、このノードＩＤを用いることにより各ノード間の通信を行うことができる。
【００１２】
【発明が解決しようとする課題】
上述のように、１３９４インターフェースでは、ネットワーク構成の自動認識を行うために、接続されている機器の電源オン／オフや接続機器の追加／削除等によるネットワーク構成の変化に応じて、バスリセット処理を自動的に行う。
【００１３】
そこで、新たに図８のような１３９４インターフェースを有する複数のＡＶ機器を用いて構成されたネットワークを考える。１０７はデジタル放送受信機、１０８はデジタルビデオテープレコーダ−Ｃ（以下、ＤＶＴＲ−Ｃと称す）、１０９はデジタルビデオテープレコーダ−Ｄ（以下、ＤＶＴＲ−Ｄと称す）である。各機器は、１３９４シリアルバスに準拠したケーブル（以下、１３９４ケーブルと称す）１０６にて接続されている。１１１はディジタル放送受信機１０７用のアンテナ、１１２はテレビモニタでありＤＶＴＲ−Ｃ１０８とアナログケーブル１１０で接続されている。
【００１４】
なお、ここではトポロジの認識後、デジタル放送受信機１０７がルート・ノードであり、バスリセット処理後の各機器のノード番号は、デジタル放送受信機１０７が「Ｎｏ．２」、ＤＶＴＲ−Ｃ１０８が「Ｎｏ．０」、ＤＶＴＲ−Ｄ１０９が「Ｎｏ．１」である。
【００１５】
アンテナ１１１で受信された電波はデジタル放送受信機１０７に送られ、所望チャンネルのデジタル放送のデータ列がデコードされる。デコードされたデジタル放送のデータは１３９４シリアルバスを介してＤＶＴＲ−Ｃ１０８に送られる。またＤＶＴＲ−Ｃ１０８はテレビモニタ１１２と接続されており、ＤＶＴＲ−Ｃ１０８で再生されたデータ列は映像信号にデコードされて、テレビモニタ１１２に送られて映像がテレビモニタ１１２に映し出される。
【００１６】
次にＤＶＴＲ−Ｃ１０８内部の動作を説明する。図９はこのＤＶＴＲ−Ｃ１０８内部の構成例を示す図である。１は１３９４インターフェース、２は１３９４インターフェース１より入力されたデータを蓄積しておくメモリ、３はデータを媒体への記録信号に変換する記録制御部、４は磁気ヘッド、５は媒体より再生された信号をデータに変換する再生制御部、６はＤＶＴＲ全体を制御するマイコン（マイクロコンピュータ）部、９は磁気テープ、１０は再生されたデータを映像信号にデコードするデコーダ部。１１は映像信号を出力するアナログインターフェース、１２は記録時と再生時で切り換わる切り換えスイッチである。
【００１７】
記録時、１３９４インターフェース１からディジタル放送受信機１０７で受信されたデジタル放送のデータが入力されると、一旦メモリ２にデータが貯えられる。貯えられたデータは所定の単位ごとに記録制御部３に送られる。切り換えスイッチ１２は記録制御部３側に切り換わっており、記録信号に変換されて磁気ヘッド４を介して磁気テープ９に記録される。
【００１８】
その一方、再生時には、切り換えスイッチ１２が再生制御部５側に切り換えられ、磁気テープ９に記録されたデータが磁気ヘッド４からの再生信号となり再生制御部５に入力される。再生制御部５では、再生信号を再生データに変換してデコーダ部１０および１３９４インターフェース１に送られる。デコーダ部１０では再生データを映像信号に変換してアナログインターフェース１１に送られ、アナログケーブル１１０を介してテレビモニタ１１２に再生映像が映し出される。
【００１９】
ここで、デジタル放送受信機１０７から１３９４ケーブル１０６経由で映像データをＤＶＴＲ−Ｃ１０８に記録している時に、ＤＶＴＲ−Ｄ１０９をネットワークから削除すると、１３９４インターフェースがトポロジの変化を検出し、バスリセット処理を自動的に行う。このとき、デジタル放送受信機１０７からの映像データは、バスリセット処理期間中は１３９４ケーブル１０６経由でＤＶＴＲ−Ｃ１０８へ送信することが不可能になる。しかし、ＤＶＴＲ−Ｃ１０８は記録動作を維持しているため、バスリセット処理期間中の映像データが途切れてしまい、記録された映像データに不連続な領域ができてしまう。
【００２０】
このため、再生した時には連続した映像データを再生できないため、ユーザーから記録再生装置の故障と間違われる恐れがあった。
【００２１】
この発明は、上記のような問題点を解消するためになされたもので、再生データが不連続であるのは記録時にバスリセット処理が発生したためであり、装置の故障ではないことを再生時に示すようにした記録再生方法および記録再生装置を提供することを目的としている。
【００２２】
【課題を解決するための手段】
上記課題を解決するため、本発明では、非同期転送と同期転送が可能なシリアルバスからのデータを記録媒体に記録し、当該記録媒体に記録されたデータを再生する記録再生方法において、データの記録時、シリアルバスの状態が初期化された場合には、上記シリアルバスの状態が初期化されたことを示す特定データを記録媒体に記録し、再生時においては記録媒体上に記録されている上記特定データを再生して、記録時にシリアルバスの初期化があったことを示す、ことを特徴とする。
【００２３】
また、次の発明では、非同期転送と同期転送が可能なシリアルバスからのデータを磁気テープに記録し、当該磁気テープに記録されたデータを再生する際、記録時には磁気テープ上にコントロール信号を記録し、再生時には再生コントロール信号によってテープの走行を制御する記録再生方法において、データの記録時、シリアルバスの状態が初期化された場合には、上記コントロール信号のデューティを変化させて磁気テープに記録し、再生時において上記コントロール信号のデューティーの変化を検出した際、上記シリアルバスの状態が初期化されたことを示す特定データを再生して、記録時にシリアルバスの初期化があったことを示す記録再生方法であることを特徴とする。
【００２４】
また、次の発明では、非同期転送と同期転送が可能なシリアルバスからのデータを記録媒体に記録し、当該記録媒体に記録されたデータを再生する記録再生方法において、データの記録時、シリアルバスの状態が初期化された場合には、シリアルバスの状態が初期化されたことを示すバスリセット認識データを記録媒体に記録し、再生時においては記録媒体上に記録されている上記バスリセット認識データを検出すると、シリアルバスの状態が初期化されたことを示す特定データを再生して、記録時にシリアルバスの初期化があったことを示す記録再生方法であることを特徴とする。
【００２５】
また、上記記録再生方法において、上記特定データが特定の映像データであることを特徴とする。
【００２６】
また、上記記録再生方法において、上記特定データが特定の静止画データであることを特徴とする。
【００２７】
また、上記記録再生方法において、上記特定データが特定の音声データであることを特徴とする。
【００２８】
また、非同期転送と同期転送が可能なシリアルバスに接続可能なシリアルバスインターフェースと、シリアルバスからのデータを記録媒体に記録する記録手段と、記録媒体に記録されたデータを再生する再生手段と、シリアルバスの状態を認識する認識手段と、特定データを生成するデータ生成手段とを備え、上記記録手段は、データの記録時、上記認識手段によってシリアルバスの状態が初期化されたことが検出された場合には、上記特定データを記録媒体に記録し、上記再生手段は上記記録媒体上に記録されている上記特定データを再生することにより、記録時にシリアルバスの初期化があったことを示す記録再生装置であることを特徴とする。
【００２９】
また、非同期転送と同期転送が可能なシリアルバスに接続可能なシリアルバスインターフェースと、シリアルバスからのデータを磁気テープに記録する記録手段と、磁気テープに記録されたデータを再生する再生手段と、シリアルバスの状態を認識する認識手段と、特定データを生成するデータ生成手段とを備え、記録時には磁気テープ上にコントロール信号を記録し、再生時には再生コントロール信号によってテープの走行を制御する記録再生装置であって、上記記録手段は、データの記録時、上記認識手段によってシリアルバスの状態が初期化されたことが検出された場合には、上記コントロール信号のデューティを変化させて磁気テープに記録し、上記再生手段は記録されている上記コントロール信号のデューティーの変化を検出した場合には、上記特定データを出力することにより、記録時にシリアルバスの初期化があったことを示す記録再生装置であることを特徴とする。
【００３０】
また、非同期転送と同期転送が可能なシリアルバスに接続可能なシリアルバスインターフェースと、シリアルバスからのデータを記録媒体に記録する記録手段と、記録媒体に記録されたデータを再生する再生手段と、シリアルバスの状態を認識する認識手段と、バスリセット認識データを生成するバスリセット認識データ生成手段と、特定データを生成するデータ生成手段とを備え、上記記録手段は、データの記録時、上記認識手段によってシリアルバスの状態が初期化されたことが検出された場合には、上記バスリセット認識データを記録媒体に記録し、上記再生手段は記録媒体上に記録されている上記バスリセット認識データを検出した場合には、上記特定データを出力することにより、記録時にシリアルバスの初期化があったことを示す記録再生装置であることを特徴とする。
【００３１】
また、上記記録再生装置において、上記特定データが特定の映像データであることを特徴とする。
【００３２】
また、上記記録再生装置において、上記特定データが特定の静止画データであることを特徴とする。
【００３３】
また、上記記録再生装置において、上記特定データが特定の音声データであることを特徴とする。
【００３４】
また、上記記録再生装置において、上記シリアルバスはＩＥＥＥ１３９４規格に合致または準拠するものであることを特徴とする。
【００３５】
また、上記記録再生装置において、上記シリアルバスはＵＳＢ規格に合致または準拠するものであることを特徴とする。
【００３６】
【発明の実施の形態】
実施の形態１．
図１は、この発明の実施の形態１である記録再生装置の内部構成を示す図である。他の機器との接続については図８においてＤＶＴＲ−Ｃ１０８に置き換えて考える。
図１において、１は１３９４インターフェース、２は１３９４インターフェース１より入力されたデータを蓄積しておくメモリ、３はデータを媒体への記録信号に変換する記録制御部、４は磁気ヘッド、５は媒体より再生された信号をデータに変換する再生制御部、６はＤＶＴＲ全体を制御するマイコン（マイクロコンピュータ）部、７は記録データとして特定データを記録するデータ付加部、９は磁気テープ、１０は再生されたデータを映像信号にデコードするデコーダ部、１１は映像信号を出力するアナログインターフェース、１２は記録と再生で切り換わる切り換えスイッチである。
【００３７】
次に動作を説明する。
まず、記録時は、マイコン部６等の制御により切り換えスイッチ１２は記録制御部３側に切り換わっており、１３９４インターフェース１からデジタルのデータが入力されると、一旦メモリ２にデータが貯えられる。貯えられたデータは所定の単位ごとに記録制御部３に送られて、記録信号に変換されて磁気ヘッド４を介して磁気テープ９に記録される。
【００３８】
一方、再生時には、マイコン部６等の制御により切り換えスイッチ１２が再生制御部５側に切り換わっており、磁気テープ９に記録されたデータが磁気ヘッド４からの再生信号となり再生制御部５に入力される。再生制御部５では、再生信号を再生データに変換してデコーダ部１０および１３９４インターフェース１に送る。デコーダ部１０では再生データを映像信号に変換してアナログインターフェース１１に送り、図８に示すようにアナログケーブル１１０を介してテレビモニタ１１２に再生映像を映し出すようにする。
【００３９】
ここで、データの記録の際に、バスリセットが発生すると、１３９４インターフェース１からマイコン部６にバスリセット情報が送られる。
【００４０】
すると、マイコン部６はバスリセット情報を受け取ると、記録中であるか否かを判定し、記録中であるならば記録データに代えて、データ付加部７に対し記録すべきデータに不連続があったことを警告するような特定データを記録するように指令する。データ付加部７はこの指令にしたがって、特定データを記録制御部３に送る。記録制御部３は磁気ヘッド４を介して記録中であった映像データに続いて、不連続があったことを警告するような特定データを磁気テープ９に記録する。尚、データ付加部７により付加される特定データとしては、特定の映像データや、静止画データまたは音声データ等が考えられる。
【００４１】
従って、本実施の形態１によれば、再生時にバスリセット処理による突然の映像途切れが発生しても、バスリセット処理による映像途切れを示す特定の映像データや静止画データ等が再生されてモニタに映し出されたり、または音声が出力されるので、記録再生装置のユーザーは、装置の故障ではなく、バスリセット処理により映像の不連続が起こったことが認識できる。
【００４２】
実施の形態２
上記実施の形態１では、再生したときにデータに不連続があったことを警告する特定データを記録するようにしたが、本実施の形態２では、この特定データの代わりに、テープ下部に記録されるコントロール信号（ＣＴＬ）のデューティを通常時とは異なる値に変えて記録し、再生時にそのデューティを判別することにより、バスリセット処理による画像不連続の警告を行えるようにしたことを特徴とする。
【００４３】
図２に、テープ上に記録されるＤ−ＶＨＳ記録フォーマットの一例を示す。図２に示すＤ−ＶＨＳ記録フォーマットでは、ＣＴＬ信号を記録するトラックがテープ下端に規定されており、ＣＴＬ信号は映像データのトラックに同期するように記録され、再生時はＣＴＬ信号と磁気ヘッド４との位相を所定に保つことにより、適切なトラッキングを得られるようになっている。本実施の形態２では、このＣＴＬ信号のデューティ変化を判別して警告表示に用いる。
【００４４】
図３は、この発明の実施の形態２である記録再生装置の内部構成を示す図である。他の機器との接続については図８においてＤＶＴＲ−Ｃ１０８に置き換えて考える。図３において、２１はＣＴＬ信号を生成し記録するＣＴＬ記録制御部、２２は再生時磁気ヘッド２４より再生されたＣＴＬ信号のデューティを判別するＣＴＬ判別部、２３は記録と再生で切り換える切り換えスイッチ、２４はコントロール信号を記録再生する磁気ヘッド、である。通常時における動作は実施の形態１の場合と同じであり、説明を省略する。
【００４５】
次の動作を説明する。
まず、バスリセットが起こった場合には、１３９４インターフェース１からマイコン部６にバスリセット情報が送られる。マイコン部６はバスリセット情報を受け取ると、記録中であるか否かを判定し、記録中であるならばデータ付加部７にダミーの記録データを記録するように指令する。データ付加部７はこの指令にしたがって、ダミーデータを記録制御部３に送る。切り換えスイッチ１２は記録制御部３側に切り換わっており、記録制御部３は磁気ヘッド４を介して記録中であった映像データに続いて、ダミーデータを磁気テープ９に記録する。
【００４６】
また、切り換えスイッチ２３は、ＣＴＬ記録制御部２１側に切り換わっており、マイコン部６はＣＴＬ記録制御部２１に対しＣＴＬ信号のデューティを通常のデューティとは変えるように指令し、ＣＴＬ記録制御部２１はその指令にしたがって、ＣＴＬ信号のデューティを変えて磁気ヘッド２４を介してテープに記録する。
【００４７】
図４に、通常時におけるＣＴＬ信号のデューティと、バスリセットによりデューティを変えたＣＴＬ信号のデューティの一例を示す。この図に示す例では、通常（定常）時にはデューティが60%であるが、バスリセット時にはデューティが２７．５％と、７２．５％との交互になるよう記録する。
【００４８】
すると、再生時においては、切り換えスイッチ２３はＣＴＬ判別部２２側に切り換わり、ＣＴＬ判別部２２は、ＣＴＬ信号のデューティが特有のデューティであると判別すると、判別結果をマイコン部６に送る。マイコン部６では、判別結果によりその特有のデューティの間はバスリセットによる記録データの不連続があったことがわかり、表示付加部８に警告の特定データを送出するように指令する。なお、表示付加部８より送出される特定データとしては、映像データ、静止画データまたは音声データ等が考えられる。
【００４９】
表示付加部８では、その指令にしたがって、アナログインターフェース１１を介して警告の特定データをテレビモニタ１１２に出力し、視聴者はテレビモニタ１１２を通してで警告を確認できる。
【００５０】
従って、本実施の形態２によれば、バスリセット処理による突然の映像途切れが発生した場合、上記実施の形態１と同様に、記録再生装置のユーザーは装置の故障ではなく、バスリセット処理により映像の不連続が起こったことが認識できる。そのため、画像の不連続があったとしても、記録再生装置の故障と間違えることがない。
【００５１】
実施の形態３．
図５は、この発明の実施の形態３である記録再生装置の内部構成を示す図である。他の機器との接続については図８においてＤＶＴＲ−Ｃ１０８に置き換えて考える。
図５において、１は１３９４インターフェース、２は１３９４インターフェース１より入力されたデータを蓄積しておくメモリ、３はデータを媒体への記録信号に変換する記録制御部、４は磁気ヘッド、５は媒体より再生された信号をデータに変換する再生制御部、６はＤＶＴＲ全体を制御するマイコン（マイクロコンピュータ）部、７は記録データとしてバスリセット認識データを記録するデータ付加部、８は警告を示す特定データを送出する表示付加部、９は磁気テープ、１０は再生されたデータを映像信号にデコードするデコーダ部、１１は映像信号を出力するアナログインターフェース、１２は記録と再生で切り換わる切り換えスイッチである。
【００５２】
次に動作を説明する。尚、通常時における動作は実施の形態１の場合と同じであり、説明を省略する。
まず、バスリセットが発生すると、１３９４インターフェース１からマイコン部６にバスリセット情報が送られる。マイコン部６はバスリセット情報を受け取ると、記録中であるか否かを判定し、記録中であるならば記録データに代えて、データ付加部７に対し通常ではありえないデータであるバスリセット認識データを送出するように指令する。データ付加部７は、この指令にしたがって、バスリセット認識データを記録制御部３に送る。記録制御部３は磁気ヘッド４を介して記録中であった映像データに続いて、上記バスリセット認識データを磁気テープ９に記録する。
【００５３】
ここで、具体的にデータ付加部７により付加される通常フォーマットではありえないデータであるバスリセット認識データについて説明する。以下に、Ｄ−ＶＨＳの記録フォーマットを例にとって説明する。
【００５４】
図６に、Ｄ−ＶＨＳの記録データフォーマットの詳細説明図を示す。１トラックのメインコード領域に３３６Sync blockを記録するが、データは１１２バイトのSync blockに分割されてテープ上に記録されることになる。そして、Sync blockはさらに、同期をとるための２バイトのSync領域、トラック番号などが書かれた３バイトのID領域、１０７バイトのデータ領域に分かれる。さらにデータ領域は２バイトのヘッダーと、１バイトのＡＵＸ領域、１０４バイトのメインデータ領域に細分されている。
【００５５】
このため、本実施の形態３では、バスリセット認識データとして、例えばこのメインデータをすべてゼロとして書き込むようにする。このようにすれば、再生時に、再生され復号されたメインデータがすべてゼロであった場合には、記録時にバスリセットにより記録データに不連続があったことをマイコン部６が認識できる。そして、マイコン部６がその不連続であったことを認識すると、記録データの不連続の警告を示す特定データを表示付加部８からアナログインターフェースに送出するように指令すれば、記録再生装置の使用者は、映像の不連続は装置の故障ではなく、バスリセットが起こったためであることをテレビモニタ１１２を通して認識できる。なお、表示付加部８より送出される特定データとしては、上記実施の形態１，２と同様に、映像データ、静止画データまたは音声データ等が考えられる。
【００５６】
従って、本実施の形態３によれば、上記実施の形態１，２と同様に、バスリセット処理による突然の映像途切れが発生した場合でも、記録再生装置のユーザーは装置の故障ではなく、バスリセット処理により映像の不連続が起こったことが認識できる。そのため、画像の不連続があったとしても、記録再生装置の故障と間違えることがない。
【００５７】
なお、上記実施の形態１〜３では、１３９４シリアルバスを例にとって説明したが、本発明ではこれに限定されるものではなく、Universal Serial Bus（ＵＳＢ）規格のシリアルバスを用いる場合にも適用することができる。
【００５８】
【発明の効果】
以上説明したように、本発明によれば、データの記録時、シリアルバスの状態が初期化された場合には、上記シリアルバスの状態が初期化されたことを示す特定データやバスリセット認識データを記録媒体に記録したり、コントロール信号のデューティを変化させて磁気テープに記録し、再生時においては記録媒体上に記録されている上記特定データやバスリセット認識データ、コントロール信号のデューティの変化を検出して、シリアルバスの状態が初期化されたことを示す特定データを再生することにより、記録時にシリアルバスの初期化があったことを示すようにしたので、再生時に、バスリセット処理による突然の映像途切れが発生しても、バスリセット処理による映像途切れを示す特定の映像データや静止画データ等が再生されてモニタに映し出されたり、または音声が出力されるようにしたので、記録再生装置のユーザーは、装置の故障ではなく、バスリセット処理により映像の不連続が起こったことが認識できる。
【００５９】
【図面の簡単な説明】
【図１】  本発明の実施の形態１を示す記録再生装置の構成図である。
【図２】  Ｄ−ＶＨＳ記録フォーマットの概略図である。
【図３】  本発明の実施の形態２を示す記録再生装置の構成図である。
【図４】  本発明の実施の形態２のコントロール信号のデューティの一例を示す図である。
【図５】  本発明の実施の形態３を示す記録再生装置の構成図である。
【図６】  Ｄ−ＶＨＳ記録データフォーマットの概略図である。
【図７】  従来の1394インターフェースを有する複数の電子機器で構成されたネットワークを示す図である。
【図８】  1394インターフェースを有する複数のＡＶ機器で構成されたネットワークを示す図である。
【図９】  記録再生装置の構成図である。
【符号の説明】
１  １３９４インターフェース
２  メモリ
３  記録制御部
４  磁気ヘッド
５  再生制御部
６  マイコン部
７  データ付加部
９  磁気テープ
１０  デコーダ部
１１  アナログインターフェース
１２  切り換えスイッチ
【図１】
0003788162.tif 000002
【図２】
0003788162.tif 000003
【図３】
0003788162.tif 000004
【図４】
0003788162.tif 000005
【図５】
0003788162.tif 000006
【図６】
0003788162.tif 000007
【図７】
0003788162.tif 000008
【図８】
0003788162.tif 000009
【図９】
0003788162.tif 000010